(57)【要約】  組成物、処理混合物、およびキットが、単相水溶液を用いてポリマーフィルムから１つまたは複数のコーティングを除去するために提供される。単相水溶液は、水；無機塩基組成物；安定な過酸化物組成物；および界面活性剤組成物を含み得る。一態様において、単相水溶液が提供される。単相水溶液は、ポリマーフィルムから１つまたは複数のコーティングを除去するために使用され得る。単相水溶液は、水を含み得る。単相水溶液は、無機塩基組成物を含み得る。単相水溶液は、界面活性剤組成物を含み得る。【選択図】なし【特許請求の範囲】
【請求項１】
水；
無機塩基組成物；
安定な過酸化物組成物；および
界面活性剤組成物
を含む、ポリマーフィルムから１つまたは複数のコーティングを除去するための単相水溶液。
【請求項２】
無機塩基組成物がアルカリ金属水酸化物、アルカリ土類金属酸化物、およびアルカリ土類金属水酸化物の１つまたは複数を含む、請求項１に記載の単相水溶液。
【請求項３】
無機塩基組成物が水酸化リチウム、水酸化ナトリウム、水酸化カリウム、酸化マグネシウム、酸化カルシウム、水酸化マグネシウム、および水酸化カルシウムの１つまたは複数を含む、請求項１に記載の単相水溶液。
【請求項４】
無機塩基組成物が約、０．０１２５Ｍ〜０．５Ｍ；０．０２５Ｍ〜０．４Ｍ；０．０５Ｍ〜０．３Ｍ；０．１Ｍ〜０．２Ｍ；０．１Ｍ〜０．１５Ｍ；および０．１２５Ｍの１つまたは複数のモル／リットル（Ｍ）で水酸化物濃度を確立するのに有効な量で存在する、請求項１に記載の単相水溶液。
【請求項５】
無機塩基組成物が水酸化ナトリウムを含む、請求項１に記載の単相水溶液。
【請求項６】
無機塩基組成物が約０．５％の水に対する重量パーセント濃度（ｗ／ｗ）で水酸化ナトリウムを含む、請求項１に記載の単相水溶液。
【請求項７】
界面活性剤組成物がポリエーテルポリオール泡消し剤を含む、請求項１に記載の単相水溶液。
【請求項８】
界面活性剤組成物がカルボン酸エステルおよびポリオールエステルの１つまたは複数を含む泡消し剤を含む、請求項１に記載の単相水溶液。
【請求項９】
界面活性剤組成物がアルキルポリアルキレングリコールエーテル泡消し剤を含む、請求項１に記載の単相水溶液。
【請求項１０】
界面活性剤組成物がポリエーテルポリオール、アルキルポリアルキレングリコールエーテル、カルボン酸エステル、およびポリオールエステルの１つまたは複数を含む泡消し剤を含む、請求項１に記載の単相水溶液。
【請求項１１】
界面活性剤組成物が約、０．００５％〜０．５％；０．００５％〜０．５％；０．００５％〜０．２５％；０．００５％〜０．１％；０．０１％〜０．１％；０．０１５％〜０．１％；０．０１５％〜０．０５％；０．０１５％〜０．０４％；および０．０２％の水に対する１つまたは複数の重量パーセント（ｗ／ｗ）で存在する、請求項１に記載の単相水溶液。
【請求項１２】
約、１０〜１４；１０．５〜１４；１１〜１４；１１．５〜１４；１２〜１４；および１２．５〜１３．５の１つまたは複数のｐＨ値により特徴付けられる、請求項１に記載の単相水溶液。
【請求項１３】
約、９８％、９９％、９９．１％、９９．２％、９９．２５％、９９．３％、９９．４％、９９．５％、９９．６％、９９．７％、９９．８％および９９．９％の少なくとも１つまたは複数の単相水溶液の重量パーセント濃度（ｗ／ｗ）で水を含む、請求項１に記載の単相水溶液。
【請求項１４】
本質的に、無機塩基組成物、界面活性剤組成物；および水からなり、水が約、９８％、９９％、９９．１％、９９．２％、９９．２５％、９９．３％、９９．４％、９９．５％、９９．６％、９９．７％、９９．８％および９９．９％の少なくとも１つまたは複数の単相水溶液の重量パーセント濃度（ｗ／ｗ）である、請求項１に記載の単相水溶液。
【請求項１５】
ポリマーフィルム（ポリマーフィルムは１つまたは複数のコーティングを含む）；並びに
水；無機塩基組成物；および界面活性剤組成物を含む単相水溶液
を含む処理混合物。
【請求項１６】
ポリマーフィルムがポリエチレン、ポリエチレンテレフタレート、ポリプロピレン、ポリスチレン、およびポリカーボネートの１つまたは複数を含む、請求項１５に記載の処理混合物。
【請求項１７】
ポリマーフィルムが単層または多層フィルムを含む、請求項１５に記載の処理混合物。
【請求項１８】
ポリマーフィルムが二軸配向多層フィルムを含む、請求項１５に記載の処理混合物。
【請求項１９】
ポリマーフィルムが二軸配向ポリプロピレン多層フィルムを含む、請求項１５に記載の処理混合物。
【請求項２０】
ポリマーフィルムが食物パッケージングフィルムを含む、請求項１５に記載の処理混合物。
【請求項２１】
約、４５：１〜５０：１；１０：１〜４０：１；２０：１〜３０：１；および２５：１の１つまたは複数のポリマーフィルムに対する重量比で水を含む、請求項１５に記載の処理混合物。
【請求項２２】
１つまたは複数のコーティングがペイント、インク、染料、粉体塗装、紙ラベル、プラスチックラベル、接着剤、バリアコーティング、金属化コーティング、食品製品、およびバイオコーティングの１つまたは複数を含む、請求項１５に記載の処理混合物。
【請求項２３】
単相水溶液が請求項１〜１４のいずれか一項に記載の単相水溶液を含む、請求項１５に記載の処理混合物。
【請求項２４】
水；無機塩基組成物；および界面活性剤組成物を含む単相水溶液を提供すること（１０２）；
ポリマーフィルム（ポリマーフィルムは１つまたは複数のコーティングを含む）を提供すること（１０４）；並びに
ポリマーフィルムから１つまたは複数のコーティングの一部分を除去するのに有効な条件下で単相水溶液およびポリマーフィルムを接触させて処理混合物を形成すること（１０６）
を含む、単相水溶液を用いてポリマーフィルムから１つまたは複数のコーティングを除去するための方法（１００）。
【請求項２５】
ポリマーフィルムから１つまたは複数のコーティングの一部分を除去するのに有効な条件が処理混合物を加熱することを含む、請求項２４に記載の方法。
【請求項２６】
ポリマーフィルムから１つまたは複数のコーティングの一部分を除去するのに有効な条件が約、５０℃〜１００℃；６０℃〜１００℃；６５℃〜１００℃；７０℃〜１００℃；７５℃〜９５℃；８０℃〜９０℃；および８５℃の１つまたは複数の温度で処理混合物を加熱することを含む、請求項２４に記載の方法。
【請求項２７】
ポリマーフィルムから１つまたは複数のコーティングの一部分を除去するのに有効な条件が、
初期コーティング量を決定すること；処理混合物を加熱および撹拌すること；初期コーティング量のパーセンテージより低い処理コーティング量を決定すること；および処理コーティング量が初期コーティング量のパーセンテージより低いと決定する際にポリマーフィルムを回収すること（初期コーティング量のパーセンテージは約、２０％、１５％、１４％、１３％、１２％、１１％、１０％、９％、８％、７％、６％、５％、４％、３％、２％、および１％の１つまたは複数である）
を含む、請求項２４に記載の方法。
【請求項２８】
ポリマーフィルムから１つまたは複数のコーティングの一部分を除去するのに有効な条件が処理混合物を撹拌することを含む、請求項２４に記載の方法。
【請求項２９】
１つまたは複数のコーティングの一部分の除去後にポリマーフィルムを回収することをさらに含む、請求項２４に記載の方法。
【請求項３０】
１つまたは複数のコーティングの一部分の除去後に単相水溶液の少なくとも一部分を回収することをさらに含む、請求項２４に記載の方法。
【請求項３１】
バッチ操作および連続操作の１つまたは複数を含む操作によりポリマーフィルムから１つまたは複数のコーティングの一部分を除去することを含む、請求項２４に記載の方法。
【請求項３２】
ポリマーフィルムが多層フィルムを含み、多層フィルムの層の少なくとも一部分を分離することをさらに含む、請求項２４に記載の方法。
【請求項３３】
ポリマーフィルムが二軸配向多層フィルムを含み、二軸配向多層フィルムの層の少なくとも一部分を分離することをさらに含む、請求項２４に記載の方法。
【請求項３４】
約、５：１〜５０：１；１０：１〜４０：１；２０：１〜３０：１；および２５：１の１つまたは複数のポリマーフィルムに対する重量比で水を混ぜ合わせることを含む、請求項２４に記載の方法。
【請求項３５】
無機塩基組成物および界面活性剤組成物の水への段階的な添加により単相水溶液を形成することをさらに含む、請求項２４に記載の方法。
【請求項３６】
請求項１〜１４のいずれか一項に記載の単相水溶液を提供することを含む、請求項２４に記載の方法。
【請求項３７】
請求項１〜１４のいずれか一項に記載の単相水溶液を調製することをさらに含む、請求項２４に記載の方法。
【請求項３８】
単相水溶液とポリマーフィルムを接触させて請求項１５〜２３のいずれか一項に記載の処理混合物を形成することを含む、請求項２４に記載の方法。
【請求項３９】
無機塩基組成物および界面活性剤組成物の１つまたは複数；および指示書（指示書は無機塩基組成物および界面活性剤組成物を水と混ぜ合わせて単相水溶液を形成するよう使用者に指示する）
を含む、ポリマーフィルムから１つまたは複数のコーティングを除去するための単相水溶液を作製するためのキット。
【請求項４０】
無機塩基組成物および界面活性剤組成物を含む、請求項３９に記載のキット。
【請求項４１】
無機塩基組成物および界面活性剤組成物の少なくとも１つを乾燥組成物またはニート組成物として含む、請求項３９に記載のキット。
【請求項４２】
無機塩基組成物および界面活性剤組成物の混合物を水と共に水性濃縮物の形態で含む、請求項３９に記載のキット。
【請求項４３】
指示書が１つまたは複数のコーティングを含むポリマーフィルムに単相水溶液を接触させることにより処理混合物を形成するよう使用者にさらに指示する、請求項３９に記載のキット。
【請求項４４】
指示書が１つまたは複数のコーティングを含むポリマーフィルムに単相水溶液を接触させることにより請求項１５〜２３のいずれか一項に記載の処理混合物を形成するよう使用者にさらに指示する、請求項３９に記載のキット。
【請求項４５】
指示書が請求項２４〜３８のいずれか一項に記載の方法を行うよう使用者にさらに指示する、請求項４４に記載のキット。
【請求項４６】
指示書が無機塩基組成物および界面活性剤組成物を水と混ぜ合わせて請求項１〜１４のいずれか一項に記載の単相水溶液を形成するよう使用者に指示する、請求項３９に記載のキット。
【発明の詳細な説明】
【技術分野】
【０００１】
本出願は、２０１５年２月２１日に出願された米国仮特許出願番号６２／１１９，１６３号の優先権を主張し、それはその全体において本明細書中に参照により組み込まれる。
【背景技術】
【０００２】
リサイクル工程において形成されるプラスチックリグラインドなどのポリマーフィルムは、望ましくないコーティングを含み得る。例えば、コーティングは、例えば、食物パッケージングにインク、ラベル、接着剤、金属フィルムなどを含み得る。望まれないコーティングを除去するために、再生プラスチックのためのリサイクル原料などの、フィルムのさらなる使用の前に、かかるポリマーフィルムを処理することが望ましい。既存の処理は、コーティングを除去するために、極端な苛性溶液、高温および／または高圧、または高価な試薬を使用する。
【０００３】
本出願は、ポリマーフィルムからコーティングを除去することは、困難な試みであるかもしれないと理解する。
【発明の概要】
【０００４】
一態様において、単相水溶液が提供される。単相水溶液は、ポリマーフィルムから１つまたは複数のコーティングを除去するために使用され得る。単相水溶液は、水を含み得る。単相水溶液は、無機塩基組成物を含み得る。単相水溶液は、界面活性剤組成物を含み得る。
【０００５】
別の態様において、処理混合物が提供される。処理混合物は、ポリマーフィルムを含み得る。ポリマーフィルムは、１つまたは複数のコーティングを含み得る。処理混合物は、単相水溶液を含み得る。単相水溶液は、水を含み得る。単相水溶液は、無機塩基組成物を含み得る。単相水溶液は、界面活性剤組成物を含み得る。
【０００６】
一態様において、方法は、単相水溶液を用いてポリマーフィルムから１つまたは複数のコーティングを除去するために提供される。方法は、単相水溶液を提供することを含み得る。単相水溶液は、水；無機塩基組成物；および界面活性剤組成物を含み得る。方法は、ポリマーフィルムを提供することを含み得る。ポリマーフィルムは、１つまたは複数のコーティングを含み得る。方法は、ポリマーフィルムから１つまたは複数のコーティングの一部分を除去するのに有効な条件下で、単相水溶液およびポリマーフィルムを接触させて処理混合物を形成することを含み得る。
【０００７】
別の態様において、キットが提供される。キットは、ポリマーフィルムから１つまたは複数のコーティングを除去するための単相水溶液を作製するためであり得る。キットは、無機塩基組成物および界面活性剤組成物の１つまたは複数を含み得る。キットは、指示書を含み得る。指示書は、無機塩基組成物および界面活性剤組成物を水と混ぜ合わせて単相水溶液を形成するよう使用者に指示し得る。
【０００８】
本明細書に組み込まれてその一部を構成する、添付の図は、方法および装置の例を図示し、単に実施態様例を説明するために使用される。
【図面の簡単な説明】
【０００９】
【図１】方法例を記載するフロー図である。
【図２】キット例のブロック図である。
【発明を実施するための形態】
【００１０】
本出願は、例えば、食物パッケージングからといった、ポリマーフィルムから１つまたは複数のコーティングを除去するための、組成物、処理混合物、およびキットに関連する。
【００１１】
さまざまな態様において、単相水溶液が提供される。単相水溶液は、ポリマーフィルムから１つまたは複数のコーティングを除去するために使用され得る。単相水溶液は、無機塩基組成物を含み得る。単相水溶液は、界面活性剤組成物を含み得る。
【００１２】
本明細書中のさまざまな態様は、用語「含む（ｉｎｃｌｕｄｉｎｇ）」または、特許請求の範囲において、用語「含む（ｃｏｍｐｒｉｓｉｎｇ）」およびそれらの文法的な変形について言及し得る。かかる態様のそれぞれについて、用語「含む（ｃｏｍｐｒｉｓｉｎｇ）」が、「本質的にからなる」および「からなる」で置き換えられる、対応する追加の態様が、明確に熟慮される。例えば、単相水溶液は、本質的に水；無機塩基組成物；および界面活性剤組成物からなり得る。本質的に水；無機塩基組成物；および界面活性剤組成物からなる単相水溶液において、単相水溶液は、いくつかの態様において、本明細書中に記載される商業的に利用可能な界面活性剤組成物の構成成分、例えば、水またはアルコールなどの有機溶媒の量、を含み得ることが理解される。さらに、例えば、単相水溶液は、水；無機塩基組成物；安定な過酸化物組成物；および界面活性剤組成物からなり得る。
【００１３】
いくつかの態様において、無機塩基組成物は、アルカリ金属水酸化物、アルカリ土類金属酸化物、およびアルカリ土類金属水酸化物の１つまたは複数を含み得る。さらに、無機塩基組成物は、アルカリ金属水酸化物、アルカリ土類金属酸化物、またはアルカリ土類金属水酸化物の１つまたは複数からなり得るか、または本質的になり得る。本明細書中で使用されるように、アルカリ金属は、例えば、リチウム、ナトリウム、カリウム、ルビジウム、またはセシウムを含み得る。アルカリ土類金属は、例えば、ベリリウム、マグネシウム、カルシウム、ストロンチウム、またはバリウムを含み得る。例えば、無機塩基組成物は、水酸化リチウム、水酸化ナトリウム、水酸化カリウム、酸化マグネシウム、酸化カルシウム、水酸化マグネシウム、および水酸化カルシウムの１つまたは複数を含み得る。無機塩基組成物は、水酸化リチウム、水酸化ナトリウム、水酸化カリウム、酸化マグネシウム、酸化カルシウム、水酸化マグネシウム、または水酸化カルシウムの１つまたは複数からなり得るか、または本質的になり得る。無機塩基組成物は、水酸化ナトリウムを含み得る。無機塩基組成物は、水酸化ナトリウムからなり得るか、または本質的になり得る。無機塩基組成物は、約、０．０１２５Ｍ〜０．５Ｍ；０．０２５Ｍ〜０．４Ｍ；０．０５Ｍ〜０．３Ｍ；０．１Ｍ〜０．２Ｍ；０．１Ｍ〜０．１５Ｍ；および０．１２５Ｍの１つまたは複数の単相水溶液中のモル／リットル（Ｍ）で水酸化物濃度を確立するのに有効な量で存在し得る。無機塩基組成物は、水酸化ナトリウムを、例えば、約０．５％の単相水溶液中の水に対する重量パーセント濃度（ｗ／ｗ）で水酸化ナトリウムを含み得る。無機塩基組成物は、固体としてまたは混合物もしくは水溶液、例えば、５０％水酸化ナトリウム水溶液として、提供され得る。
【００１４】
さまざまな態様において、界面活性剤組成物は、泡消し剤を含み得る。例えば、界面活性剤組成物は、ポリエーテルポリオール泡消し剤を含み得る。適切なポリエーテルポリオール泡消し剤は、商業的に利用可能な、例えば、ＴＥＲＧＩＴＯＬ（商標）Ｌ６４（ＤＯＷ  Ｃｈｅｍｉｃａｌ  Ｃｏｍｐａｎｙ，  Ｍｉｄｌａｎｄ，  ＭＩ）などの、ＴＥＲＧＩＴＯＬ（商標）シリーズの泡消し剤であり得る。界面活性剤組成物は、カルボン酸エステルおよびポリオールエステルの１つまたは複数を含む泡消し剤を含み得る。カルボン酸エステルおよびポリオールエステルの１つまたは複数の適切な泡消し剤の組み合わせは、商業的に利用可能な、例えば、ＴＲＡＭＦＬＯＣ（登録商標）シリーズの泡消し剤、例えば、ＴＲＡＭＦＬＯＣ（登録商標）１１５９（Ｔｒａｍｆｌｏｃ，  Ｉｎｃ，  Ｔｅｍｐｅ，  ＡＺ）であり得る。界面活性剤組成物は、アルキルポリアルキレングリコールエーテル泡消し剤を含み得る。適切なアルキルポリアルキレングリコールエーテル泡消し剤は、商業的に利用可能な、例えば、ＤＥＨＹＤＥＭ（登録商標）シリーズの泡消し剤、例えば、ＤＥＨＹＤＥＭ（登録商標）ＳＵＰＲＡ（ＢＡＳＦ  Ｃｏｒｐｏｒａｔｉｏｎ，  Ｆｌｏｒｈａｍ  Ｐａｒｋ，  ＮＪ）であり得る。かかる商業的な泡消し剤の使用は、アルコールなどの有機溶媒を単相水溶液に添加し得ることが理解されるべきである。例えば、ＴＲＡＭＦＬＯＣ（登録商標）１１５９は、約１〜５％メタノールを含み得る。界面活性剤組成物は、ポリエーテルポリオール、アルキルポリアルキレングリコールエーテル、カルボン酸エステル、およびポリオールエステルの１つまたは複数を含む、泡消し剤を含み得る。
【００１５】
界面活性剤組成物は、約、０．００１％〜０．５％；０．００５％〜０．５％；０．００５％〜０．２５％；０．００５％〜０．１％；０．０１％〜０．１％；０．０１５％〜０．１％；０．０１５％〜０．０５％；０．０１５％〜０．０４％；および０．０２の１つまたは複数の単相水溶液中の水に対する重量パーセント（ｗ／ｗ）で存在し得る。
【００１６】
さまざまな態様において、請求項に記載の単相水溶液は、約、１０〜１４；１０．５〜１４；１１〜１４；１１．５〜１４；１２〜１４；および１２．５〜１３．５の１つまたは複数のｐＨ値により特徴付けられ得る。単相水溶液は、約、９８％、９９％、９９．１％、９９．２％、９９．２５％、９９．３％、９９．４％、９９．５％、９９．６％、９９．７％、９９．８％および９９．９％の少なくとも１つまたは複数の単相水溶液中の重量パーセント濃度（ｗ／ｗ）での水を含み得る。さらに、例えば、単相水溶液は、無機塩基組成物；界面活性剤組成物；および水からなり得るか、本質的になり得、水は、約、９８％、９９％、９９．１％、９９．２％、９９．２５％、９９．３％、９９．４％、９９．５％、９９．６％、９９．７％、９９．８％および９９．９％の少なくとも１つまたは複数の単相水溶液の重量パーセント濃度（ｗ／ｗ）である。
【００１７】
さまざまな態様において、処理混合物が提供され得る。処理混合物は、ポリマーフィルムを含み得る。ポリマーフィルムは、１つまたは複数のコーティングを含み得る。処理混合物は、単相水溶液を含み得る。単相水溶液は、水を含み得る。単相水溶液は、無機塩基組成物を含み得る。単相水溶液は、界面活性剤組成物を含み得る。処理混合物は、ポリマーフィルムおよび単相水溶液から本質的になり得るか、それからなり得る。
【００１８】
いくつかの態様において、ポリマーフィルムは、ポリエチレン、ポリエチレンテレフタレート、ポリプロピレン、ポリスチレン、およびポリカーボネートの１つまたは複数を含み得る。ポリマーフィルムは、例えば、リサイクル処理の一部として例えば、切断された、細断された、または粉砕されたフィルムの断片のように、粉々でまたは粒子状であり得る。ポリマーフィルム、例えば、フィルムは、粉々でまたは粒子状であり得、リサイクルされた；バージンプラスチック製の；フレキシブルな、例えば、フィルムまたは多層フィルム；線維性の；それらの混合物などの１つまたは複数であり得る。ポリマーフィルムは、単層または多層フィルムを含み得る。ポリマーフィルムは、二軸配向多層フィルムを含み得る。ポリマーフィルムは、二軸配向ポリプロピレン多層フィルムを含み得る。ポリマーフィルムは、食物パッケージングフィルムを含み得る。
【００１９】
いくつかの態様において、１つまたは複数のコーティングは、例えば、ペイント、インク、染料、粉体塗装、紙ラベル、プラスチックラベル、接着剤、バリアコーティング、金属化コーティング、食品製品、またはバイオコーティングの１つまたは複数を含み得る。バイオコーティングは、例えば、タンパク質ベース、およびオリゴ糖ベースなどであり得る。金属化コーティングは、連続フィルムまたは金属粒子を含み得る。
【００２０】
さまざまな態様において、処理混合物は、約、４５：１〜５０：１；１０：１〜４０：１；２０：１〜３０：１；および２５：１のポリマーフィルムに対する１つまたは複数の重量比で水を含み得る。
【００２１】
さまざまな態様において、単相水溶液は、本明細書中に記載される単相水溶液についてのいずれかの特徴または値を含み得る。
【００２２】
さまざまな態様において、単相水溶液を用いるポリマーフィルムから１つまたは複数のコーティングを除去するための方法（１００）が提供される。図１は、方法（１００）のフローチャートを描く。方法は、単相水溶液を提供すること（１０２）を含み得る。単相水溶液は、水を含み得る。単相水溶液は、無機塩基組成物、例えば、本明細書中に記載された無機塩基組成物を含み得る。単相水溶液は、界面活性剤組成物を含み得る方法は、ポリマーフィルム（ポリマーフィルムは１つまたは複数のコーティングを含む）を提供すること（１０４）を含み得る。方法は、ポリマーフィルムから１つまたは複数のコーティングの一部分を除去するのに有効な条件下で単相水溶液およびポリマーフィルムを接触させて処理混合物を形成すること（１０６）を含み得る。
【００２３】
さまざまな態様において、ポリマーフィルムから１つまたは複数のコーティングの一部分を除去するのに有効な条件は、処理混合物を加熱することを含み得る。処理混合物は、約５０℃〜約１００℃；約６０℃〜約１００℃；６５℃〜約１００℃；約７０℃〜約１００℃；約７５℃〜約９５℃；約８０℃〜約９０℃；約８５℃；または、およそ前述の値のいずれか二つの間、または、およそ前述の値のいずれか、例えば、約６０℃〜約１００℃または約８５℃の温度で加熱され得る加熱され得る。
【００２４】
さまざまな態様において、ポリマーフィルムから１つまたは複数のコーティングの一部分を除去するのに有効な条件は、初期コーティング量を決定すること；処理混合物を加熱および撹拌すること；初期コーティング量のおよそのパーセンテージより低い処理コーティング量を決定すること；および処理コーティング量が初期コーティング量のおよそのパーセンテージより低いと決定する際にポリマーフィルムを回収すること（初期コーティング量のパーセンテージは約、２０％、１５％、１４％、１３％、１２％、１１％、１０％、９％、８％、７％、６％、５％、４％、３％、２％、または１％の１つまたは複数である）を含み得る。
【００２５】
さまざまな態様において、ポリマーフィルムから１つまたは複数のコーティングの一部分を除去するのに有効な条件は、処理混合物を撹拌することを含み得る。
【００２６】
さまざまな態様において、方法は、１つまたは複数のコーティングの一部分の除去後にポリマーフィルムを回収することをさらに含み得る。方法は、１つまたは複数のコーティングの一部分の除去後に、単相水溶液の少なくとも一部分を回収することをさらに含み得る。
【００２７】
さまざまな態様において、ポリマーフィルムから１つまたは複数のコーティングの一部分を除去するのに有効な条件は、バッチ操作を含み得る。１つまたは複数のコーティングの一部分を除去するのに有効な条件は、連続操作を含み得る。
【００２８】
いくつかの態様において、ポリマーフィルムは、多層フィルムを含み得、方法は、多層フィルムの層の少なくとも一部分を分離することを含み得る。ポリマーフィルムは、二軸配向多層フィルムを含み得、方法は、二軸配向多層フィルムの層の少なくとも一部分を分離することを含み得る。
【００２９】
いくつかの態様において、方法は、約、５：１〜５０：１；１０：１〜４０：１；２０：１〜３０：１；および２５：１の１つまたは複数のポリマーフィルムに対する重量比で水を混ぜ合わせることを含み得る。方法は、無機塩基組成物および界面活性剤組成物の水への段階的な添加により単相水溶液を形成することを含み得る。
【００３０】
さまざまな態様において、方法は、本明細書中に記載される単相水溶液についての特徴または値のいずれかによる単相水溶液を提供することを含み得る。方法は、本明細書中に記載される単相水溶液についての特徴または値のいずれかによる単相水溶液を調製することを含み得る。方法は、処理混合物について本明細書中に記載されるいずれかの特徴または値による処理混合物を提供することを含み得る。方法は、本明細書中に記載される処理混合物についてのいずれかの特徴または値による処理混合物を調製することを含み得る。
【００３１】
さまざまな態様において、キット（２００）が提供される。図２は、キット（２００）のブロック図を描く。キット（２００）は、ポリマーフィルムから１つまたは複数のコーティングを除去するための単相水溶液を作製するためであり得る。キットは、無機塩基組成物および界面活性剤組成物の１つまたは複数（２０２）を含み得る。キットは、指示書（２０４）を含み得る。指示書は、無機塩基組成物および界面活性剤組成物を水と混ぜ合わせて単相水溶液を形成するよう使用者に指示し得る。
【００３２】
いくつかの態様において、キットは、無機塩基組成物および界面活性剤組成物を含み得る。キットは、無機塩基組成物および界面活性剤組成物の少なくとも１つを乾燥組成物またはニート組成物として含み得る。キットは、無機塩基組成物および界面活性剤組成物の混合物を水と共に水性濃縮物の形態で含み得る。
【００３３】
いくつかの態様において、指示書は、１つまたは複数のコーティングを含むポリマーフィルムに単相水溶液を接触させることにより処理混合物を形成するよう使用者に指示し得る。指示書は、本明細書中に記載される単相水溶液についての特徴または値のいずれかによる単相水溶液を提供するよう使用者に指示することを含み得る。指示書は、本明細書中に記載される単相水溶液についての特徴または値のいずれかによる単相水溶液を調製するよう使用者に指示することを含み得る。指示書は、本明細書中に記載される処理混合物についてのいずれかの特徴または値による処理混合物を提供するよう使用者に指示することを含み得る。指示書は、本明細書中に記載される処理混合物についてのいずれかの特徴または値による処理混合物を調製するよう使用者に指示することを含み得る。指示書は、本明細書中に記載される方法についてのいずれかの特徴または値による方法を実施するよう使用者に指示することを含み得る。
【００３４】
実施例
およそ５０  ｌｂの温水を約８５℃に加熱し、混合タンクに添加した。スナック食物バッグに由来する多層の、二軸配向ポリプロピレン（ＢＯＰＰ）フィルムを得、これは金属およびインクコーティングを含んだ。およそ０．３７５インチメッシュサイズの粉々である、およそ２  ｌｂのＢＯＰＰフィルムを、混合しながら重量法的に水に添加して、スラリーを形成した。初期インク混入物、基材樹脂およびバックコートのレベルを決定した。０．５％（ｗ／ｗ）水酸化ナトリウムを、スラリーに添加した。スラリーは大きく泡立った。商業的な、アルコールベースの泡消し界面活性剤（ＴＲＡＭＦＬＯＣ（登録商標）１１５９，  Ｔｒａｍｆｌｏｃ，  Ｉｎｃ，  Ｔｅｍｐｅ，  ＡＺ）を、泡が収まるまで液滴添加し（５滴）、水含有量に基づいておよそ０．００２（％ｗ／ｗ）の泡消し界面活性剤をもたらした。２時間で開始して、試料を、フィルムにコーティングがないと容認できるとみなされるまで、３０分おきに取った。およそ３時間で、フィルムは９８％クリーンであると決定された。およそ４時間で、フィルムは９９％＋クリーンであると決定された。反応混合物をフィルターに注ぎ入れて水相を除去し、生成物を水ですすいで乾燥させた。水相は、試薬の再使用および／または回収のために回収可能であった。本実施例は、記載される組成物および方法が最小の溶媒を用いてＢＯＰＰフィルムからコーティングを除去し、かつコーティング染料の基質への再付着を防ぐ傾向にあることを示す。記載される組成物および方法はまた、ＢＯＰＰフィルムの複数の層を剥離および分離する。本実施例において、ＢＯＰＰフィルムは、２つの透明な層および１つの緑の層へと分離された。
【００３５】
「含む（ｉｎｃｌｕｄｅｓ）」または「含む（ｉｎｃｌｕｄｉｎｇ）」という用語が本明細書または特許請求の範囲で使用される場合それは、「含む（ｃｏｍｐｒｉｓｉｎｇ）」という用語が特許請求の範囲で転換語として用いられる場合に解釈されるように、同様に包括的であると意図される。更に、「または」という用語が用いられる場合（例えば、ＡまたはＢ）それは、「ＡもしくはＢまたはその両方」を意味すると意図される。出願人が、「ＡまたはＢのみであり、両方ではない」を示すことを意図する場合は、「ＡまたはＢのみであり、両方ではない」という用語が用いられるだろう。このため、本明細書における「または」という用語の使用は、包括的であり、排他的な使用ではない。Ｂｒｙａｎ  Ａ．  Ｇａｒｎｅｒ，  Ａ  Ｄｉｃｔｉｏｎａｒｙ  ｏｆ  Ｍｏｄｅｒｎ  Ｌｅｇａｌ  Ｕｓａｇｅ  ６２４  （２ｄ．  Ｅｄ．  １９９５）を参照のこと。また、「中（ｉｎ）」または「中に（ｉｎｔｏ）」という用語が本明細書または特許請求の範囲において使用される場合それは、「上（ｏｎ）」または「上に（ｏｎｔｏ）」を更に意味すると意図される。「選択的に」という用語が本明細書または特許請求の範囲において使用される場合それは、装置の使用者が、装置の使用において必要であるまたは所望される構成要素の機構または機能を起動するまたは停止させ得る、構成要素の状態を指すと意図される。用語「動作可能に結合される」または「動作可能に接続される」が明細書または特許請求の範囲において使用される場合それは、同定された構成要素が指定された機能を実行するための方法で接続されることを意味すると意図される。用語「実質的に」が本明細書または特許請求の範囲において使用される場合それは、同定された構成要素が、その業種において受容可能であるはずの誤差の程度で示された関係または品質を有することを意味すると意図される。
【００３６】
本明細書および特許請求の範囲で使用されるとき、単数形の「ａ」、「ａｎ」、および「ｔｈｅ」は、単数と明示的に特定されない限り、複数形を含む。例えば、「化合物」への言及は、単一の化合物、および２つ以上の化合物の混合物を包含し得る。
【００３７】
本明細書中で使用されるように、数と併せた用語「約」は、その数字の±１０％を含むことが意図される。言い換えると、「約１０」は、９〜１１を意味し得る。
【００３８】
本明細書で使用する場合「任意選択の（ｏｐｔｉｏｎａｌ）」または「任意選択で（ｏｐｔｉｏｎａｌｌｙ）」という用語は、その状況が起こる場合およびそれが起こらない場合を記載に含むように、続いて説明される状況が起こってもよくまたは起こらなくてもよいことを意味する。
【００３９】
上に述べたように、本出願は、その実施形態の記述によって例示され、またその実施形態はかなり詳細に記載されたが、添付される特許請求の範囲をそのような詳細に制限するか、またはいずれの形でも限定することは出願人の意図ではない。更なる利点および修正は、本出願の利益を有する当業者には容易に明らかとなろう。したがって、本出願は、その広範な態様において、特定の詳細、示される例示的な例、または参照されるいずれの装置にも限定されない。全体的な発明概念の趣旨または範囲から逸脱することなく、そのような詳細、実施例、および装置から新たな発展が行われてもよい。
【００４０】
本明細書で使用する場合、「置換された」は、下で定義するような有機基（たとえばアルキル基）を指し、その基においてそれに含まれる水素原子への１個以上の結合が非水素または非炭素原子への結合により置き換えられる。置換された基は、（複数の）炭素または（複数の）水素原子への１個以上の結合が、ヘテロ原子への二重または三重結合を含む１個以上の結合によって置き換えられる基も含む。置換される基は、別に特定しない限り、１つまたは複数の置換基によって置換され得る。いくつかの態様において、置換される基は、１、２、３、４、５、または６の置換基によって置換され得る。置換基の例としては、ハロゲン（すなわち、Ｆ、Ｃｌ、Ｂｒ、およびＩ）；ヒドロキシル；アルコキシ、アルケノキシ、アリールオキシ、アラルキルオキシ、ヘテロシクリルオキシ、およびヘテロシクリルアルコキシ基；カルボニル（オキソ）；カルボキシル；エステル；ウレタン；オキシム；ヒドロキシルアミン；アルコキシアミン；アラルコキシアミン；チオール；スルフィド；スルホキシド；スルホン；スルホニル；スルホンアミド；アミン；Ｎ−オキシド；ヒドラジン；ヒドラジド；ヒドラゾン；アジド；アミド；ウレア；アミジン；グアニジン；エナミン；イミド；イソシアネート；イソチオシアネート；シアネート；チオシアネート；イミン；ニトロ基；またはニトリル（すなわち、ＣＮ）が挙げられる。「ペル」置換された化合物または基は、すべてのまたは実質的にすべての置換可能な位置が、示された置換基で置換された化合物または基である。例えば、１，６−ジヨードペルフルオロヘキサンは式Ｃ６Ｆ１２Ｉ２の化合物を示し、ここですべての置換可能な水素がフッ素原子で置き換えられている。
【００４１】
置換シクロアルキル、アリール、ヘテロシクリルおよびヘテロアリール基などの置換環基は、水素原子への結合が炭素原子への結合によって置き換えられ得る環および環系も包含する。置換シクロアルキル、アリール、ヘテロシクリルおよびヘテロアリール基は、下に定義されるような置換または非置換アルキル、アルケニル、およびアルキニル基によっても置換され得る。
【００４２】
アルキル基は、１〜１２の炭素原子、および典型的には１〜１０の炭素、またはいくつかの例において、１〜８、１〜６、または１〜４の炭素原子を有する直鎖および分岐鎖アルキル基を包含する。直鎖アルキル基の例としては、メチル、エチル、ｎ−プロピル、ｎ−ブチル、ｎ−ペンチル、ｎ−ヘキシル、ｎ−ヘプチル、およびｎ−オクチル基などの基が挙げられる。分岐アルキル基の例としては、イソプロピル、イソ−ブチル、ｓｅｃ−ブチル、ｔｅｒｔ−ブチル、ネオペンチル、イソペンチル、および２，２−ジメチルプロピル基が挙げられるが、これらに限定されない。代表的な置換アルキル基は、上に挙げたものなどの置換基で一回以上置換され得、ハロアルキル（例えば、トリフルオロメチル）、ヒドロキシアルキル、チオアルキル、アミノアルキル、アルキルアミノアルキル、ジアルキルアミノアルキル、アルコキシアルキル、またはカルボキシアルキルを含むが、これらに限定されない。
【００４３】
シクロアルキル基は、（複数の）環中に３〜１２の炭素原子、またはいくつかの態様において、３〜１０、３〜８、または３〜４、５もしくは６の炭素原子を有する単環式、２環式または３環式アルキル基を包含する。例示的な単環式シクロアルキル基としては、シクロプロピル、シクロブチル、シクロペンチル、シクロヘキシル、シクロヘプチル、およびシクロオクチル基が挙げられるが、これらに限定されない。いくつかの態様において、シクロアルキル基は、３〜８環員を有し、一方ほかの態様において、環炭素原子の数は、３〜５、３〜６または３〜７に及ぶ。２および３環式環系は、ビシクロ［２．１．１］ヘキサン、アダマンチル、またはデカリニルなどの、架橋シクロアルキル基および縮合環のいずれをも含むが、これらに限定されない。置換されたシクロアルキル基は、上に定義されるような非水素および非炭素基で、一回以上、置換され得る。しかしながら、置換されたシクロアルキル基は、上に定義されるような直鎖または分岐鎖アルキル基で置換され得る環も含む。代表的な置換シクロアルキル基は、２，２−、２，３−、２，４−、２，５−または２，６−ジ置換されたシクロヘキシル基など、モノ置換され得るか、または１回より多く置換され得るが、これらに限定されず、これは上に挙げたものなどの置換基で置換され得る。
【００４４】
アリール基は、ヘテロ原子を含有しない環式芳香族炭化水素であり得る。本明細書中、アリール基は、単環系、２環系および３環系を包含する。アリール基としては、フェニル、アズレニル、ヘプタレニル、ビフェニル、フルオレニル、フェナントレニル、アントラセニル、インデニル、インダニル、ペンタレニル、およびナフチル基が挙げられるが、これらに限定されない。いくつかの態様において、アリール基は、基の環部分に、６〜１４の炭素を含有し、他において６〜１２またはさらに６〜１０の炭素原子を含有する。いくつかの態様において、アリール基はフェニルまたはナフチルであり得る。語句「アリール基」は縮合芳香族脂肪族環系（例えば、インダニルまたはテトラヒドロナフチル）などの縮合環を含有する基を含み得るが、「アリール基」は、環員の１つに結合した、アルキルまたはハロ基などの、他の基を有するアリール基を含まない。むしろ、トリルなどの基が、置換アリール基と呼ばれ得る。代表的な置換アリール基は、１置換され得るか、または１回より多く置換され得る。例えば、モノ置換されたアリール基としては、２−、３−、４−、５−、または６−置換されたフェニルまたはナフチルが挙げられるが、これらに限定されず、これは上記のものなどの置換基で置換され得る。
【００４５】
アラルキル基は、アルキル基の水素または炭素結合が上で定義したようなアリール基への結合によって置き換えられ得る、上で定義したようなアルキル基であり得る。いくつかの態様において、アラルキル基は、７〜１６個の炭素原子を、７〜１４個の炭素原子を、または７〜１０個の炭素原子を含有する。置換アラルキル基は、基のアルキル部分、アリール部分またはアルキル部分とアリール部分の両方にて置換され得る。代表的なアラルキル基としては、ベンジルおよびフェネチル基および縮合（シクロアルキルアリール）アルキル基、たとえば４−インダニルエチルが挙げられるが、それらに限定されない。代表的な置換アラルキルは、上に挙げた置換基によって１回以上置換され得る。
【００４６】
この技術の化合物中の２個以上の結合点を有する本明細書に記載される基（すなわち２価、３価または多価）は、接尾辞「エン」を使用して呼ぶことができる。たとえば、２価アルキル基はアルキレン基であり得、２価アリール基はアリーレン基であり得、２価ヘテロアリール基はヘテロアリーレン基であり得るなどである。特に、あるポリマーは、ポリマー反復単位を説明する用語と併せて接尾辞「エン」の使用により説明され得る。
【００４７】
アルコキシ基は、水素原子への結合が上で定義したような置換または非置換アルキル基の炭素原子への結合によって置き換えられ得る、ヒドロキシル基（−ＯＨ）であり得る。直鎖アルコキシ基の例としては、メトキシ、エトキシ、プロポキシ、ブトキシ、ペントキシ、またはヘキソキシが挙げられるが、それらに限定されない。分枝アルコキシ基の例としては、イソプロポキシ、ｓｅｃ−ブトキシ、ｔｅｒｔ−ブトキシ、イソペントキシ、またはイソヘキソキシが挙げられるが、それらに限定されない。代表的な置換アルコキシ基は、上に挙げたものなどの置換基によって１回以上置換され得る。
【００４８】
本明細書で開示された多様な態様および実施形態は、例示のためであり、限定することを意図するものではなく、真の範囲および精神は、添付の特許請求の範囲によって示される。
【図１】
2018527415.tif 000002
【図２】
2018527415.tif 000003
【国際調査報告】
2018527415.tif 000004